(57)【要約】【課題】果粒が果梗から脱落し易い品種のぶどう等の果物を収納した場合にも、搬送時の振動等に起因する脱粒の発生を抑えることができ、よって見栄えが良いうえに、従来よりも果物の日持ちを長くすることができる果物収納容器を提供する。【解決手段】底板１０と、この底板の長手方向に立設された一対の第１の側壁１１および短手方向に立設された一対の第２の側壁１２とが合成樹脂により一体成形されて上部に略長方形状の開口部１３が形成された果物収納容器において、第１の側壁１１に、開口部１３から底板１０に向けて漸次第１の側壁１１間の中央側に傾斜するとともに、当該容器内部において凹曲面状をなす果物保持壁１４を形成したことを特徴とする。【選択図】図１
2008162690.tif 000002
【特許請求の範囲】
【請求項１】
底板と、この底板の長手方向に立設された一対の第１の側壁および短手方向に立設された一対の第２の側壁とが合成樹脂により一体成形されて上部に略長方形状の開口部が形成された果物収納容器において、
上記第１の側壁に、上記開口部から上記底板に向けて漸次当該第１の側壁間の中央側に傾斜するとともに、当該容器内部において凹曲面状をなす果物保持壁を形成したことを特徴とする果物収納容器。
【請求項２】
上記果物保持壁は、対向する当該果物保持壁間の幅寸法が、上記第１の側壁の延在方向に向けて漸次小さくなるように形成されていることを特徴とする請求項１に記載の果物収納容器。
【請求項３】
上記第１の側壁の第２の側壁との角隅部に上記果物保持壁が形成されないことにより、当該角隅部には、上記底板と上記第１および第２の側壁とによって囲まれて上記果物保持壁の外方に突出する脚部が形成されていることを特徴とする請求項１または２に記載の果物収納容器。
【請求項４】
上記底板の上記第１の側壁間の中央部には、当該底板から断面逆Ｕ字状に突出して果粒を弾性的に保持可能な緩衝底部が上記第１の側壁の延在方向に向けて形成されていることを特徴とする１ないし３のいずれかに記載の果物収納容器。
【請求項５】
上記一対の第１の側壁は、上記開口部を画成する縁部間の幅寸法が上記第２の側壁側から中央部に向けて漸次小さくなるように形成されていることを特徴とする請求項１ないし４のいずれかに記載の果物収納容器。
【請求項６】
上記開口部の周縁に、上記第１の側壁および第２の側壁の上端外方に沿って延在する環状のフランジが一体に形成されるとともに、上記フランジと上記第１の側壁の上端部との間に、当該第１の側壁に沿って凹溝が形成されていることを特徴とする請求項１ないし４のいずれかに記載の果物収納容器。
【請求項７】
上記第１の側壁の上端部には、上記凹溝を間に介して上記フランジと対向する補強壁部が一体に形成されていることを特徴とする請求項６に記載の果物収納容器。
【発明の詳細な説明】
【技術分野】
【０００１】
本発明は、ぶどう等の果物を収納して搬送用や陳列用等として用いられる果物収納容器に関するものである。
【背景技術】
【０００２】
一般に、果物は、透明なプラスチック容器に収納されて搬送および店頭での販売等がなされている。
図９および図１０は、従来の上記果物の収納容器の一種であるぶどう収納容器を示すもので、略長方形状をなす底板１と、長辺側に立設された一対の側壁２と、短辺側に立設された一対の側壁３とが透明な合成樹脂により一体成形されたものである。
【０００３】
上記構成からなるぶどう収納容器は、内部に茎４を側壁２に沿わせてぶどうを収納することにより、搬送用、陳列用および保存用等として用いられている。
ちなみに、上記ぶどうのうち、巨峰等の果粒が大きいものにあっては、通常１つの収納容器に１房のぶどうが収納されて使用に供されている。
【発明の開示】
【発明が解決しようとする課題】
【０００４】
ところで、従来の上記ぶどう収納容器にあっては、ぶどうが全体として外観略円錐形状をなしているために、側壁２の下部と底板１との間に空間Ｓが形成されてしまう。このため、搬送中に加わる振動や衝撃等によって、果粒５が果梗から脱落（脱粒）して空間Ｓの収まってしまい、この結果、陳列時における見栄えに劣るという問題点があった。加えて、上記脱粒により果粒５が傷んだり、あるいは日持ちが悪くなったりするという問題点もあった。
【０００５】
特に、種なしぶどうは、従来のぶどうと比較して、種から果梗に至る繊維分が無いために果粒５が果梗から脱落し易く、このため当該種なしぶどうを上記収納容器に収納した場合には、上記傾向が顕著になる。
【０００６】
本発明は、かかる事情に鑑みてなされたもので、果粒が果梗から脱落し易い品種のぶどう等の果物を収納した場合にも、搬送時の振動等に起因する脱粒や傷みの発生を抑えることができ、よって見栄えが良いうえに、従来よりも果粒の日持ちを長くすることができる果物収納容器を提供することを課題とするものである。
【課題を解決するための手段】
【０００７】
上記課題を解決するために、請求項１に記載の発明は、底板と、この底板の長手方向に立設された一対の第１の側壁および短手方向に立設された一対の第２の側壁とが合成樹脂により一体成形されて上部に略長方形状の開口部が形成された果物収納容器において、上記第１の側壁に、上記開口部から上記底板に向けて漸次当該第１の側壁間の中央側に傾斜するとともに、当該容器内部において凹曲面状をなす果物保持壁を形成したことを特徴とするものである。
【０００８】
ここで、請求項２に記載の発明は、請求項１に記載の果物保持壁が、対向する当該果物保持壁間の幅寸法が、上記第１の側壁の延在方向に向けて漸次小さくなるように形成されていることを特徴とするものである。
【０００９】
また、請求項３に記載の発明は、請求項１または２に記載の発明において、上記第１の側壁の第２の側壁との角隅部に上記果物保持壁が形成されないことにより、当該角隅部には、上記底板と上記第１および第２の側壁とによって囲まれて上記果物保持壁の外方に突出する脚部が形成されていることを特徴とするものである。
【００１０】
さらに、請求項４に記載の発明は、請求項１〜３のいずれかに記載の発明において、上記底板の上記第１の側壁間の中央部には、当該底板から断面逆Ｕ字状に突出して果粒を弾性的に保持可能な緩衝底部が上記第１の側壁の延在方向に向けて形成されていることを特徴とするものである。
【００１１】
また、請求項５に記載の発明は、請求項１〜４のいずれかに記載の発明において、上記一対の第１の側壁は、上記開口部を画成する縁部間の幅寸法が上記第２の側壁側から中央部に向けて漸次小さくなるように形成されていることを特徴とするものである。
【００１２】
また、請求項６に記載の発明は、請求項１〜４のいずれかに記載の発明において、上記開口部の周縁に、上記第１の側壁および第２の側壁の上端外方に沿って延在する環状のフランジが一体に形成されるとともに、上記フランジと上記第１の側壁の上端部との間に、当該第１の側壁に沿って凹溝が形成されていることを特徴とするものである。
【００１３】
さらに、請求項７に記載の発明は、請求項６に記載の発明において、上記第１の側壁の上端部には、上記凹溝を間に介して上記フランジと対向する補強壁部が一体に形成されていることを特徴とするものである。
【発明の効果】
【００１４】
請求項１〜７のいずれかに記載の果物収納容器によれば、例えば果粒の大きなぶどうを、その茎を第１の側壁に沿わせて収納した際に、第１の側壁に臨む外周側の上記果粒を、当該第１の側壁に形成した果物保持壁によって両側の下方から支持することができる。加えて、上記保持壁を、容器内部において凹曲面状に形成しているために、果物の側面や各々の果粒を広い面で保持することができる。
【００１５】
このため、果粒が果梗から脱落し易い品種のぶどう等の果物を収納した場合にも、搬送時の振動等に起因する脱粒や傷みの発生を抑えることができる。したがって、上記ぶどう等の果物を収納して陳列を行う際にも、見栄えが良く、しかも脱粒や傷みが少ないために、従来よりも果物の日持ちを長くすることができる。
【００１６】
この際に、請求項２に記載の発明によれば、対向する果物保持壁間の幅寸法が、第１の側壁の延在方向に向けて漸次小さくなるように形成しているために、ぶどう等の全体として外観略円錐形状をなす果物を、その大径側端部を果物保持壁間の幅寸法が大きい側に位置させて収納することにより、より広い面積にわたる上記果物の側面やより多くの果粒を果物保持壁によって両側から安定的に支持することができる。
【００１７】
さらに、請求項３に記載の発明においては、第１の側壁の第２の側壁との角隅部に上記果物保持壁を形成しないことにより、当該角隅部に、底板と第１および第２の側壁とによって囲まれて果物保持壁の外方に突出する脚部を形成しているために、当該脚部によって収納容器の強度を高めて形状を保持することができる。また、搬送時等に多数の収納容器を並列的に箱詰めした場合に置いても、上記脚部は、果物保持壁の外方に突出しているために、隣接する収納容器等から上記果物保持壁を介して果物の側面や果粒に強い力が作用することがない。
【００１８】
また、請求項４に記載の発明によれば、上記底板の第１の側壁間の中央部に、断面逆Ｕ字状に突出する緩衝底部を第１の側壁の延在方向に向けて形成しているために、底板上に位置する果物や果粒についても、上記緩衝底板によって下方から弾性的に保持することができ、よって底部に位置する上記果物や果粒についても傷みや脱粒を生じることを防ぐことができる。
【００１９】
ところで、上記果物収納容器においては、第１の側壁側に位置する果物の側面や果粒を、果物保持壁によって側方かつ下方から保持しているために、上記果物や果粒が大粒である場合には、その重量によって果物保持壁を含む第１の側壁が外方に撓む傾向を生じる。そして、その撓み量は、第１の側壁の中央部において最も大きくなる。このため、搬送の箱詰め状態や陳列状態によっては、隣接する容器等からの反力によって、第１の側壁を介して上記果物や果粒に大きな力が作用するおそれを生じる。
【００２０】
この点、請求項５に記載の発明によれば、上記一対の第１の側壁を、上縁部間の幅寸法が上記第２の側壁側から中央部に向けて漸次小さくなるように、すなわち収納容器の内側に凹状となるように形成しているために、果物の重みでこれを保持する果物保持壁が外方に撓むことにより、開口部の形状が長方形に近づくことになり、よって箱詰め時等に隣接する容器等から第１の側壁に外力が加わることを未然に防止することができる。
また、第１の側壁を上述したように凹状に形成することにより、果物保持壁による弾性的な果物の保持効果を高めることもできる。
【００２１】
これに対して、請求項６に記載の発明においては、開口部の周縁に、第１の側壁および第２の側壁の上端外方に沿って延在する環状のフランジを一体に形成するとともに、このフランジと第１の側壁の上端との間に、第１の側壁に沿って凹溝を形成しているために、果物の重みでこれを保持する果物保持壁を介して第１の側壁が外方に撓んだ場合においても、当該第１の側壁の撓みを凹溝における変形によって吸収することができる。しかも、このぶどう収容容器の外縁には、環状のフランジが一体に形成されているために、その変形が防止される。
【００２２】
この結果、果物の大きさや重さの相違に拘わらず、開口部の外形寸法が変化することがなく、よって箱詰め時等に隣接する容器等から第１の側壁に外力が加わることを未然に防止することができるとともに、第１の側壁の撓みを凹溝によって吸収することができるために、果物保持壁による弾性的な保持効果も高めることもできる。
【００２３】
この際に、特に請求項７に記載の発明によれば、第１の側壁の上端に沿って補強壁部を形成しているために、果物保持壁に局部的に重さが作用した場合においても、上記補強壁部によって第１の側壁の広い範囲を弾性的に凹溝内へと撓ませることができるとともに、補強壁部によるスプリング効果も得られるために、安定性にも優れる。
【発明を実施するための最良の形態】
【００２４】
（第１の実施形態）
図１〜図５は、本発明に係る果物収納容器をぶどう収納容器に適用した第１の実施形態を示すもので、このぶどう収納容器（果物収納容器）は、底板１０と、この底板１０の長手方向に立設された一対の第１の側壁１１と、短手方向に立設された一対の第２の側壁１２ａ、１２ｂとが透明な合成樹脂により一体成形されたもので、上部には略長方形状の開口部１３が形成されている。
ここで、第１の側壁１１および第２の側壁１２ａ、１２ｂは、いずれも開口部１３から底板１１に向けて、僅かに内方へと向かうように傾斜して形成されている。
【００２５】
また、第１の側壁１１は、開口部１３を画成する上縁部１１ｂ間の幅寸法Ｗ０が、第２の側壁１２側から中央部に向けて漸次小さくなるように、それぞれ平面視において凹状に形成されている。
そして、第１の側壁１１には、第２の側壁１２ａ、１２ｂとの角隅部１１ａを除いて、開口部１３から底板１０側に向けて漸次底板１０の中央側に傾斜する果粒保持壁（果物保持壁）１４が形成されている。
【００２６】
この果粒保持壁１４は、第１の側壁１１との間が、円滑な曲面によって連続するように形成されている。また、果粒保持壁１４は、この収納容器の内部において凹曲面状をなすように形成されている。ここで、この曲面形状は、図４および図５に示すように、高さ方向の中央部における対向する果粒保持壁１４との間の幅寸法Ｗ１が、第２の側壁１２ｂ側から第２の側壁１２ａ側に向けて漸次小さくなるように形成されている。
【００２７】
さらに、底板１０の第１の側壁１１間の中央部には、一方の第２の側壁１２ａ側から他方の第２の側壁１２ｂ側に向けて緩衝底部１５が形成されている。この緩衝底部１５は、底板１０から断面逆Ｕ字状に突出する形状に形成されており、果粒Ｇを弾性的に保持可能となるように、この収納容器を平面上に載置した際に、その下方に間隙Ｃが形成されるようになっている。
【００２８】
また、この緩衝底部１５は、一端部１５ａが一方の第２の側壁１２ａから連続するとともに、他端部１５ｂが果粒保持壁１４の幅寸法Ｗ１が大きい側の端部近傍に位置するように形成されている。さらに、この緩衝底部１５は、一端部１５ａから他端部１５ｂに向けて漸次高さ寸法が小さくなるように形成されている。これにより、緩衝底部１５の他端部１５ｂと第２の側壁１２ｂとの間には、角隅部１１ａ間に連続して底部１０が形成されている。
【００２９】
この結果、第１の側壁１１の第２の側壁１２ａとの角隅部１１ａには、緩衝底部１５を間に挟んで、底板１０と第１および第２の側壁１１、１２ａとによって囲まれて果粒保持壁１４の外方に突出する脚部１６が形成されている。他方、第２の側壁１２ｂ側においては、この第２の側壁１２ｂと、その全長に沿って連続する底板１０と、対向する第１の側壁１１とによって囲まれるとともに、第１の側壁１１部分が果粒保持壁１４の外方に突出する脚部１７が形成されている。
なお、図中符号１８は、薄肉の合成樹脂によって形成された上記ぶどう収納容器の強度を保持するためのコルゲート加工部である。
【００３０】
以上の構成からなるぶどう収納容器によれば、巨峰のような果粒Ｇの大きなぶどうを、その茎Ｔの端部を第２の側壁１２ｂ側に向けるとともに、第１の側壁１１に沿わせて収納すると、図４に示すように、第１の側壁１１側に位置する果粒Ｇを、第１の側壁１１に形成した果粒保持壁１４によって側方かつ下方から支持することができる。加えて、果粒保持壁１４を、容器内部において凹曲面状に形成しているために、各々の果粒Ｇを広い面で保持することができる。
【００３１】
また、対向する果粒保持壁１４間の幅寸法Ｗ１を、第２の側壁１２ｂ側から第２の側壁１２ａ側に向けて漸次小さくなるように形成しているために、全体として茎Ｔの端部側が大径となる外観略円錐形状のぶどうを、その茎Ｔの端部が第２の側壁１２ｂ側に位置するようにして収納することにより、より多くの果粒Ｇを果粒保持壁１４によって両側から安定的に支持することができる。
【００３２】
さらに、第１の側壁１１の第２の側壁１２ａ、１２ｂとの角隅部１１ａに果粒保持壁１４を形成しないことにより、底板１０と第１および第２の側壁１１、１２ａ、１２ｂとによって囲まれて果粒保持壁１４の外方に突出する脚部１６、１７を形成しているために、これらの脚部１６、１７によって収納容器の強度を高めて形状を保持することができる。また、搬送時等に多数の収納容器を並列的に箱詰めした場合に置いても、脚部１６、１７が果粒保持壁１４の外方に突出しているために、隣接する収納容器等から果粒保持壁１４を介してぶどうの果粒に強い力が作用することがない。
【００３３】
加えて、底板１０の第１の側壁１１間の中央部に、断面逆Ｕ字状に突出する緩衝底部１５を第１の側壁１１の延在方向に向けて形成しているために、図５に示すように、底板１０上に位置するぶどうの果粒Ｇについても、緩衝底板１５によって下方から弾性的に保持することができる。しかも、緩衝底部１５を、第２の側壁１２ａ側の一端部１５ａから他端部１５ｂに向けて、漸次高さが低くなるように形成しているために、外観略円錐形状のぶどうの大径側から小径側に至る数多くの果粒Ｇを、この緩衝底部１５によって下方から弾性的に保持することができ、よって容器の底部に位置する果粒Ｇについても傷みや脱粒を生じることを防ぐことができる。
【００３４】
さらに、一対の第１の側壁１１を、上縁部１１ｂ間の幅寸法Ｗ０が第２の側壁１２ａ、１２ｂ側から中央部に向けて漸次小さくなるように、すなわち収納容器の内側に凹状となるように形成しているために、果粒Ｇの重みでこれを保持する果粒保持壁１４が外方に撓むことにより、開口部１３の形状が長方形に近づくことになり、よって箱詰め時等に隣接する容器等から第１の側壁１１に外力が加わることを未然に防止することができる。また、第１の側壁１１を上述したように凹状に形成することにより、果粒保持壁１４による弾性的な果粒Ｇの保持効果を高めることもできる。
【００３５】
この結果、果粒Ｇが果梗から脱落し易い品種のぶどうを収納した場合にも、搬送時の振動等に起因する脱粒の発生を抑えることができる。したがって、上記ぶどうを収納して陳列を行う際にも、見栄えが良く、しかも脱粒が少ないために、従来よりも果粒の日持ちを長くすることができる。
【００３６】
（第２の実施形態）
図６〜図８は、本発明に係る果物収納容器をぶどう収納容器に適用した第２の実施形態を示すものである。
このぶどう収納容器（果物収納容器）も、底板２０と、この底板２０の長手方向に立設された一対の第１の側壁２１と、短手方向に立設された一対の第２の側壁２２ａ、２２ｂとが透明な合成樹脂により一体成形されたもので、上部には略長方形状の開口部２３が形成されている。
【００３７】
ここで、第１の側壁２１は、底板２０に対する傾斜角度が、その延在方向の中央部からこの容器の角隅部２１ａに向けて漸次大きくなるように形成されており、これにより開口部２３側からの平面視において、第１の側壁２１と底板２０との交差部は、角隅部２１ａ側から中央部に向けて漸次内方へ突出する凸曲線状に形成されている。
【００３８】
さらに、第１の側壁２１には、当該第１の側壁２１に対して凹曲面状をなす果粒保持壁（果物保持壁）２４が形成されている。ここで、果粒保持壁２４は、対向する果物保持壁２４間の幅寸法が、第２の側壁２２ａ側から第２の側壁２２ｂに向けて漸次大きくなるように形成されている
また、第２の側壁２２ａ、２２ｂは、開口部２３から底板２０に向けて、僅かに内方へと向かうように傾斜して形成されている。
【００３９】
他方、底板２０の第１の側壁２１間の中央部には、一方の第２の側壁２２ａ側から他方の第２の側壁２２ｂ側に向けて緩衝底部２５が形成されている。この緩衝底部２５は、底板２０から断面逆Ｕ字状に突出する形状に形成されており、果粒を弾性的に保持可能となるように、この収納容器を平面上に載置した際に、その下方に間隙Ｃが形成されるようになっている。
【００４０】
また、この緩衝底部２５は、一方の第２の側壁２２ａ他方の第２の側壁２２ｂへと連続して形成されるとともに、長手方向の中央部から第２の側壁２２ａ側の一端部１５ａに向けて漸次高さ寸法が大きくなるように形成されている。
【００４１】
この結果、第１の側壁１１と第２の側壁１２ａ、２２ｂとが交差する４つの角隅部２１ａには、各々緩衝底部２５を間に挟んで、底板２０と第１および第２の側壁２１、２２ａ、２２ｂとによって囲まれた脚部２６が形成されている。
【００４２】
また、このぶどう収納容器は、薄肉の合成樹脂によって一体成形されていることから、第２の側壁２２ａ、２２ｂおよび脚部２６には、当該部分の強度を保持するためのコルゲート加工部２７ａ、２７ｂがそれぞれ開口部２３側から底板２０側に向けて形成されている。また、底板２０には、第１の側壁２１間にわたって連続することにより緩衝底板２５を通過する複数のコルゲート加工部２８が、緩衝底部２５の延在方向に向けて略等間隔で形成されている。これにより、緩衝底部２５は、コルゲート加工部２８間において幾分独立的に撓み可能となるように形成されている。なお、果粒保持壁２４が形成された第１の側壁２１には、コルゲート加工部が施されていない。
【００４３】
そして、このぶどう収納容器においては、第１の側壁２１および第２の側壁２２ａ、２２ｂの開口縁部に連なって上面２９が形成されており、この上面２９の外周には、外方に向けてカール部３０ａおよびスカート部３０ｂからなるフランジ３０が形成されている。このフランジ３０は、周方向に連続するように環状に形成されており、開口部２３側からの平面視において全体として長方形をなすように形成されている。
【００４４】
さらに、上面２９には、各々の第１の側壁２１の上端に沿って補強壁部３１が形成されている。この補強壁部３１は、内側壁部３１ａと外側壁部３１ｂとが頂部で一体化された中空山形状に形成されたもので、第１の側壁２１の上端に沿って両端部が脚部２６の近傍まで延びる長さ寸法に形成されている。
【００４５】
そして、各補強壁部３１とフランジ３０との間に位置する上面２９には、凹溝３２が形成されている。この凹溝３２は、その両端部３２ａが補強壁部３１の両端部よりも角隅部２１ａに近接して位置するように連続して形成されている。
【００４６】
以上の構成からなるぶどう収納容器においても、第１の実施形態に示したものと同様に作用効果が得られる。
加えて、このぶどう収納容器においては、開口部２３の周縁に、第１の側壁２１および第２の側壁２２ａ、２２ｂの上端外方に沿って延在する長方形状のフランジ３０を一体に形成するとともに、このフランジ３０と第１の側壁２１の上端に形成した補強壁部３１との間に、第１の側壁２１に沿って連続する凹溝３２を形成している。
【００４７】
このため、上記ぶどう収納容器内にぶどうを収納した際に、果粒の重みでこれを保持する果粒保持壁２４を介して第１の側壁２１が外方に撓んだ場合においても、当該第１の側壁２１の撓みを凹溝３２における変形によって吸収することができる。しかも、このぶどう収容容器の外縁には、環状のフランジ３０が一体に形成されているために、その変形が防止される。
【００４８】
この結果、ぶどうの大きさや果粒の重さの相違に拘わらず、開口部２３の外形寸法が変化することがなく、よって箱詰め時等に隣接する容器等から第１の側壁２１等に偏った外力が加わることを未然に防止することができるとともに、第１の側壁２１の撓みを凹溝３２によって吸収することができるために、果粒保持壁２４による弾性的な果粒の保持効果も高めることもできる。
【００４９】
この際に、特に第１の側壁２１の上端に沿って補強壁部３１を形成しているために、果粒保持壁２４に局部的に果粒の重さが作用した場合においても、上記補強壁部３１によって第１の側壁２１の広い範囲を弾性的に凹溝３２内へと撓ませることができ、かつ補強壁部３１によるスプリング効果も得られるために、安定性にも優れる。
【００５０】
なお、上記第１および第２の実施の形態においては、本発明に係る果物収納容器をぶどう収納容器に適用した場合についてのみ説明したが、これに限るものではなく、各種の果物の収納容器にも同様に適用することが可能である。
また、第１の実施形態では、第１の側壁１１を、収納容器の内側に凹状となるように形成した場合についてのみ説明したが、これに限定されるものではなく、対向する第１の側壁１１の上縁部１１ｂが互いに平行になるように形成しても良い。
【００５１】
さらに、当該ぶどう収納容器を、底板１０、２０と、一対の第１の側壁１１、２１および第２の側壁１２ａ、１２ｂ、２２ａ、２２ｂとを透明な合成樹脂により一体成形することにより、上部に開口部１３、２３を形成した場合について示したが、これに限るものではなく、例えば一方の第１の側壁１１、２１の上縁部に、開口部１３、２３を開閉する蓋体を一体に形成することもできる。
【図面の簡単な説明】
【００５２】
【図１】本発明に係る果物収納容器の第１の実施形態を示す斜視図である。
【図２】図１の平面図である。
【図３】図２のＡ−Ａ線視断面図である。
【図４】図２のＢ−Ｂ線視断面図である。
【図５】図２のＣ−Ｃ線視断面図である。
【図６】本発明に係る果物収納容器の第２の実施形態を示す平面図である。
【図７】図６のＤ−Ｄ線視断面図である。
【図８】図６のＥ−Ｅ線視断面図である。
【図９】従来のぶどう収納容器を示す斜視図である。
【図１０】図９の断面図である。
【符号の説明】
【００５３】
１０、２０  底板
１１、２１  第１の側壁
１１ａ、２１ａ  角隅部
１１ｂ  上縁部
１２ａ、１２ｂ、２２ａ、２２ｂ  第２の側壁
１３、２３  開口部
１４、２４  果粒保持壁（果物保持壁）
１５、２５  緩衝底部
１６、１７、２６  脚部
２９  上面
３０  フランジ
３０ａ  カール部
３０ｂ  スカート部
３１  補強壁部
３２  凹溝
Ｗ０  上縁部間の幅寸法
Ｗ１  果粒保持壁間の幅寸法
【図１】
2008162690.tif 000003
【図２】
2008162690.tif 000004
【図３】
2008162690.tif 000005
【図４】
2008162690.tif 000006
【図５】
2008162690.tif 000007
【図６】
2008162690.tif 000008
【図７】
2008162690.tif 000009
【図８】
2008162690.tif 000010
【図９】
2008162690.tif 000011
【図１０】
2008162690.tif 000012